(57)【要約】  【課題】利用者が、何時何処からでも、その所望する化粧アイテムを容易かつ効率的に指定でき、この指定情報を一元管理すると共に、この管理情報に基づき、利用者の来店時に、利用者毎に指定された化粧アイテムを効率良く提供でき、かつ、利用者が個室を利用する際に、その個室に設置されたクライアント端末でも当該指定情報を確認することができるシステムの提供。  【解決手段】所定数のクライアント端末（３）とネットワーク接続されてなると共に、所定のＷＷＷサーバ（Ｓ）と接続されてなる利用者管理用サーバ（２）を主体とし、ＷＷＷサーバ（Ｓ）が提供する所定のモバイルサイトへアクセスした任意の利用者携帯端末（Ｍ）にて、化粧アイテムの検索および指定を可能とさせ、当該モバイルサイトを介し、任意の利用者携帯端末（Ｍ）から化粧アイテムの指定情報を受信した場合、当該指定情報をその利用者ＩＤ毎に管理し、それら指定情報を、各クライアント端末（３）や利用者管理用サーバ（２）において、利用者ＩＤ別に一覧表示するシステムを構築した。【選択図】図２
2006048161.tif 000002
【特許請求の範囲】
【請求項１】
利用者が指定した化粧アイテムを利用者毎に管理するためのシステムであって、所定数のクライアント端末と、当該各端末とネットワーク接続されてなると共に、所定のＷＷＷサーバと接続されてなる利用者管理用サーバからなり、
前記利用者管理用サーバは、
（ア）前記ＷＷＷサーバが提供する所定のモバイルサイトへアクセスした任意の利用者携帯端末にて、化粧アイテムの検索および指定を可能とさせ、各化粧アイテムのそれぞれの属性情報を記録してなる化粧アイテムデータベースと、
（イ）前記化粧アイテムデータベースに基づき、前記モバイルサイトを介し、任意の利用者携帯端末から化粧アイテムの指定情報を受信した場合、当該指定情報をその利用者ＩＤ毎に管理するための利用者別管理用データベースと、
（ウ）前記利用者別管理用データベースに基づき、前記化粧アイテムの指定情報を、利用者ＩＤ別に一覧表示するための利用者別一覧表示手段と、を具備してなると共に、
前記各クライアント端末についても、
（エ）前記利用者別一覧表示手段をそれぞれ具備してなる、
ことを特徴とする利用者別化粧アイテム管理システム。
【請求項２】
前記各クライアント端末に、利用者ＩＤ認識手段が付帯されてなることを特徴とする請求項１記載の利用者別化粧アイテム管理システム。
【発明の詳細な説明】
【技術分野】
【０００１】
本発明は、化粧品や香粧品といった化粧アイテムを、個々の利用者毎に管理するためのシステムに関する。
【背景技術】
【０００２】
古今東西を問わず、女性にとって化粧は切り離しがたい行為である。通常、女性が化粧をする機会は、朝の出勤前や日常の外出前となっているが、最近、働く女性の労働時間の増加や労働時間の変則により、不規則に化粧や化粧直しをする必要が生じている。この場合には、一般的に、所謂「化粧室」と呼ばれるトイレットが併設された比較的狭いスペースにて、自らが持参した化粧品を用いて化粧や化粧直しをしている。
【０００３】
ところで、最近、化粧品や香粧品といった化粧アイテムの種類は豊富になり、それぞれの機能や役割が細分化されている。なお、本発明における化粧アイテムの定義とは、化粧品や香粧品などをいうが、化粧品とは、例えば、洗顔クリーム、化粧水、パック剤、保湿クリームのような基礎化粧品、口紅、ほほ紅、アイシャドー、アイライナー、ネイルエナメルのようなメイキャップ化粧品、あるいは日焼け止めクリーム、制汗剤、脱色・除毛クリームのようなボディ化粧品、パーマネントローション、ヘアカラー、ヘアブリーチのような頭髪処理剤などを指す。また、香粧品とは、オーデコロンやヘアコロン、香り付き石鹸、液体洗浄料、シャンプー、リンスといった各種の香料含有品を指す。
【０００４】
さて、従来では、利用者に対して化粧アイテムを供給するための関連技術が多々想到されている。例えば、特許文献１では、初回来店顧客に対して、複数の化粧品の組み合わせ使用を推奨し、これに対する顧客の対応を、その購入の有無に応じて複数タイプに分類して記録し、次回来店時に、前回来店時の対応のタイプに応じて、化粧品の推奨を行う方法が開示されている。また、特許文献２では、インターネットを利用して、その端末画面上において、顧客に問診を行い、その問診結果に基づいて適切なアドバイスと推奨化粧品および推奨サプリメントを提示し、その提示画面から直接希望商品を注文することができる方法が開示されている。さらに、特許文献３では、化粧品販売店に来店する顧客の顧客カードに基礎化粧品購入品目チェック欄を設け、顧客が来店時に基礎化粧品を購入した場合には、その購入履歴を顧客カードに記入することにより、来店促進手段を講じる際に、これを参照するようにした顧客管理方法が開示されている。
【特許文献１】特開２００２−３１２５６５号公報
【特許文献２】特開２００３−４４７１５号公報
【特許文献３】特開２００３−２０８０９８号公報
【０００５】
そして、このような化粧アイテムは、複数を組み合わせることにより様々なバリエーションが選べ、利用者自身の気分による容姿的な変化を望む際には勿論、その日の気温や湿度などの外的要因によって、その組み合わせを変更した方が良い場合には有効とされる。また、特に、化粧品は、化粧水と乳液あるいはクリームとの組み合わせのように、種類の異なる複数を組み合わせることによって、より高い美容効果が得られることが証明されている。しかしながら、多種類の化粧品を持ち歩くことは不便であり、通常、必要最低限の化粧品を持ち歩くため、化粧や化粧直しの際には、限られた組み合わせしか望むことができない。
【０００６】
このような状況を踏まえ、最近、働く女性のための専用空間を提供するサービスが想到されている。このサービスを提供する施設は、多数の個室と共有スペースからなり、それぞれの個室にはＶＯＤ（Video On Demand）設備が設けられ、化粧や健康管理あるいは各種娯楽に関する情報映像などを提供可能となっている。そして、各個室にはＬＡＮ（Local Area Network）を介して利用者管理用サーバに接続されたクライアント端末が設置され、各種情報が双方向通信できるものである。特に、化粧や化粧直しに関しては、共有スペースには勿論のこと、各個室にも利用者が快適に化粧を行える空間と設備を備えている。
【発明の開示】
【発明が解決しようとする課題】
【０００７】
しかしながら、このような施設においても、従来の化粧室に比べれば、ゆったり時間をかけて化粧や化粧直しができるものの、利用者が化粧品を持ち込んで化粧を行うのでは、従来と同じように、限られた化粧アイテムの組み合わせしかできない。そこで、共有スペースに多種・多数の化粧アイテムを陳列して、利用者に共同使用してもらうことも考えられるが、衛生面の問題や消費量の個人格差による不公平感が生じたり、また、利用者が所望する化粧アイテムを、多種・多数の化粧アイテムの中から一々探し出すのでは、多大な時間と労力を要してしまう。
【０００８】
したがって、このような方法を採らず、システムの主催者側が、多種類の化粧アイテムの中から利用者毎が指定した化粧アイテムを予め用意して、利用者の来店時に個別に提供する方法が最も好ましい。しかし、従来では、このようなサービス自体はもとより、利用者が、何時何処からでも容易かつ効率的に化粧アイテムを指定できるようなシステムはなく、また、これら指定情報を一元管理し、利用者の来店時、利用者毎に指定された化粧アイテムを効率良く提供するシステムもなかった。
【０００９】
そこで、本発明は、上記構成の施設を利用し、利用者が、何時何処からでも、その所望する化粧アイテムを容易かつ効率的に指定でき、この指定情報を一元管理すると共に、この管理情報に基づき、利用者の来店時、利用者毎に指定された化粧アイテムを効率良く提供でき、かつ、利用者が個室を利用する際に、その個室に設置されたクライアント端末でも当該指定情報を確認することができるシステムの提供を課題とする。
【課題を解決するための手段】
【００１０】
上記課題を鑑み、本発明者は、所定数のクライアント端末と、当該各端末とネットワーク接続されてなると共に、所定のＷＷＷサーバと接続されてなる利用者管理用サーバを主体とし、ＷＷＷサーバが提供する所定のモバイルサイトへアクセスした任意の利用者携帯端末にて、化粧アイテムの検索および指定を可能とさせ、当該モバイルサイトを介し、任意の利用者携帯端末から化粧アイテムの指定情報を受信した場合、当該指定情報をその利用者ＩＤ毎に管理し、それら指定情報を、各クライアント端末や利用者管理用サーバにおいて、利用者ＩＤ別に一覧表示するシステムを構築することで、上記課題を解決できることを見出し、本発明の利用者別化粧アイテム管理システムを想到した。
【００１１】
すなわち、本発明の請求項１記載の利用者別化粧アイテム管理システムは、利用者が指定した化粧アイテムを利用者毎に管理するためのシステムであって、所定数のクライアント端末と、当該各端末とネットワーク接続されてなると共に、所定のＷＷＷサーバと接続されてなる利用者管理用サーバからなり、
前記利用者管理用サーバは、
（ア）前記ＷＷＷサーバが提供する所定のモバイルサイトへアクセスした任意の利用者携帯端末にて、化粧アイテムの検索および指定を可能とさせ、各化粧アイテムのそれぞれの属性情報を記録してなる化粧アイテムデータベースと、
（イ）前記化粧アイテムデータベースに基づき、前記モバイルサイトを介し、任意の利用者携帯端末から化粧アイテムの指定情報を受信した場合、当該指定情報をその利用者ＩＤ毎に管理するための利用者別管理用データベースと、
（ウ）前記利用者別管理用データベースに基づき、前記化粧アイテムの指定情報を、利用者ＩＤ別に一覧表示するための利用者別一覧表示手段と、を具備してなると共に、
前記各クライアント端末についても、
（エ）前記利用者別一覧表示手段をそれぞれ具備してなることを特徴とする。
【００１２】
また、本発明の請求項２記載の利用者別化粧アイテム管理システムは、請求項１記載のシステムにおいて、前記各クライアント端末に、利用者ＩＤ認識手段が付帯されてなることを特徴とする。
【発明の効果】
【００１３】
本発明の請求項１記載の利用者別化粧アイテム管理システムによれば、利用者管理用サーバが、各個室に設置されたクライアント端末とネットワーク接続されていると共に、所定のＷＷＷ（World Wide Web）サーバと接続されているため、このＷＷＷサーバが提供するモバイルサイト（Mobile Site）へアクセスした利用者の携帯電話やＰＨＳ（利用者携帯端末）にて、何時何処からでも、その所望する化粧アイテムを容易かつ効率的に指定できると共に、この指定情報を一元管理すると共に、この管理情報に基づき、利用者の来店時、利用者毎に指定された化粧アイテムを効率良く提供でき、また、利用者が個室を利用する際に、その個室に設置されたクライアント端末にて当該指定情報を確認することができ、各利用者は、その指定した化粧アイテムの内容確認の他、化粧アイテムの変更や取り止めあるいは補充などに関しても好適に判断できるなどといった効果を奏する。
【００１４】
さらに、本発明の請求項２記載の利用者別化粧アイテム管理システムによれば、請求項１記載の利用者別化粧アイテム管理システムにおいて、各クライアント端末に、利用者ＩＤ認識手段が付帯されていることから、各クライアント端末にて利用者を特定することができ、当該利用者の化粧アイテムの指定情報を効率良く提供できると共に、他の利用者の指定情報を閲覧不可にすればセキュリティー面に優れるなどといった効果を奏する。
【発明を実施するための最良の形態】
【００１５】
以下、本発明の利用者別化粧アイテム管理システムについて、最適な実施例を挙げて詳述するが、先ず、図１に示す、本発明の利用者別化粧アイテム管理システムのネットワーク構成図と、図２に示す、利用者管理用サーバの概略的ブロック構成図と、図３に示す、化粧アイテムデータベースを構成する化粧アイテムテーブルの概念図と、図４に示す、利用者別管理用データベースを構成する利用者管理テーブルの概念図と、図６に示す、利用者携帯端末におけるモバイルサイトの表示画面に基づき、請求項１記載の枕詞および（ア）から（エ）の構成と、請求項２記載の構成について説明する。
【実施例１】
【００１６】
図１は、本発明の利用者別化粧アイテム管理システムのネットワーク構成図である。本実施例の管理システム（１）では、各利用者が個別に利用する個室（５，５…）が多数併設されており、各個室（５，５…）にはＶＯＤ（図示省略）が設置され、化粧や健康管理あるいは各種娯楽に関する情報映像などが配信されている。そして、各個室（５，５…）にはＬＡＮ（Ｌ）を介して利用者管理用サーバ（２）にネットワーク接続されたクライアント端末（３，３…）が設置され、各種情報を双方向通信できるものである。また、各クライアント端末（３，３…）には利用者ＩＤを認識するためのＩＣカード読み取り／書き込み装置（４）が接続されている。
【００１７】
なお、本実施例では、利用者ＩＤ認識手段として、利用者ＩＤが付されたＩＣカードを用いているが、本発明はこれに限らず、例えば、ＩＣモジュールを携帯電話に内蔵させたＩＣ機能付き携帯電話や、近距離無線通信手段であるブルートゥース（blue tooth）機構を有する携帯電話、あるいはパスワードの入力装置、さらには指紋や声紋などの生体識別機能に依る機構の認識手段を利用しても構わない。
【００１８】
利用者管理用サーバ（２）は、公衆電話回線やＩＳＤＮ、ＡＤＳＬといった専用通信回線などを利用した通信回線（Ｃ）にて、ルータ（Ｒ）を介し、インターネット（Ｎｉ）を経由して所定のＷＷＷサーバ（Ｓ）と接続され、当該サーバ（Ｓ）が提供するモバイルサイトへは、任意の利用者携帯端末（Ｍ）にてアクセス可能に設定されている。すなわち、このＷＷＷサーバ（Ｓ）は、ＩＳＰ（Internet Service Provider）などを介してインターネット（Ｎｉ）に接続され、その提供するモバイルサイトから化粧アイテムの検索や指定に関する化粧アイテム情報を供給しているのである。そして、利用者携帯端末（Ｍ）は、携帯電話網（Personal Digital Cellular：ＰＤＣ）およびパケット携帯電話網（Personal Digital Cellular−Packet：ＰＤＣ−Ｐ）に接続され、パケット携帯電話網（ＰＤＣ−Ｐ）は所定のゲートウェイシステム（図示省略）を介してインターネット（Ｎｉ）と接続しており、利用者携帯端末（Ｍ）は、このパケット携帯電話網（ＰＤＣ−Ｐ）を経由して、ＷＷＷサーバ（Ｓ）から化粧アイテム情報を受け取る。
【００１９】
このように、利用者携帯端末（Ｍ）にて、化粧アイテムの検索および指定を可能とさせるために、利用者管理用サーバ（２）には、各種の化粧アイテム（個々を識別するアイテムＩＤが付加）の属性情報を記録した化粧アイテムデータベース（Ｄ１）と、指定情報を受信した場合、当該指定情報を利用者ＩＤ毎に管理するための利用者別管理用データベース（Ｄ２）が設けられている。
【００２０】
次に、図２は、利用者管理用サーバの概略的ブロック構成図である。本実施例の利用者管理用サーバ（２）は、ＩＣカード読み取り／書き込み装置（４）を付帯した各クライアント端末（３）とＴＣＰ／ＩＰなどの所定の通信プロトコルによるＬＡＮ（Local Area Network：Ｌ）を介して接続（「ルータ」や「ハブ」は図示省略）されており、利用者が利用できる化粧アイテム情報を転送したり、利用者の指定情報などを受信できるものである。すなわち、利用者は、自らの利用者携帯端末（Ｍ）にて、本システムで利用できる化粧アイテムを検索して指定するため、利用者管理用サーバ（２）のハードディスク（２２）に設けられた化粧アイテムデータベース（Ｄ１）、あるいはこれをＷＷＷサーバ（Ｓ）内に複製させたもの利用して、所望の化粧アイテムを検索して指定する。
【００２１】
化粧アイテムデータベース（Ｄ１）は、図３の化粧アイテムデータベースを構成する化粧アイテムテーブルの概念図に示すように、化粧アイテムテーブル（Ｔ１）により構成されている。この化粧アイテムテーブル（Ｔ１）は、具的的には、個々の化粧アイテムを識別するために付されたアイテムＩＤを示す「アイテムＩＤ」フィールド（ｆ１）や、化粧アイテムの種別（洗顔クリーム、化粧水、パック剤、口紅、ほほ紅、パーマネントローション、ヘアカラー、オーデコロンなど）を表す「種別」フィールド（ｆ２）、化粧アイテムの名称や呼称を表す「名称」フィールド（ｆ３）、化粧アイテムの製造元や販売元を表す「製造元」フィールド（ｆ４）、あるいは、化粧アイテムの効用や使用上の注意などが記載された「特徴」フィールド（ｆ５）など各種の属性情報からなる。
【００２２】
図６は、利用者携帯端末（Ｍ）におけるモバイルサイトの表示画面（Ｄｍ）である。このモバイルサイトは、化粧アイテムデータベース（Ｄ１）を利用しており、その構成は、当該データベース（Ｄ１）に基づき、利用者が所望する化粧アイテムを容易に検索して指定できるように一覧形式で構成されている。すなわち、この表示画面（Ｄｍ）では、利用者の氏名を記入して特定する「氏名」欄（３０）、「アイテムＩＤ」欄（３１）、「種別」欄（３２）、化粧アイテムの名称や呼称を表す「名称」欄（３３）、化粧アイテムの製造元や販売元を表す「製造元」欄（３４）、あるいは、選択すると別画面が表示され、化粧アイテムの効用や使用上の注意などが記載された「特徴」アイコン（３５）、所望する化粧アイテムを選択するためのフラグを立てる「選択」欄（３６）が一覧形式で構成されている。利用者は、所望する化粧アイテムの「選択」欄（３６）にフラグを立てた状態で「送信」アイコン（３７）を選択すると化粧アイテムの指定が確定する。
【００２３】
利用者が所望する化粧アイテムが指定されると、その指定情報はＷＷＷサーバ（Ｓ）を経由して利用者管理用サーバ（２）に転送される。転送されてきた指定情報は、当該利用者管理用サーバ（２）の通信制御手段（２０）を介して、管理用サーバ（２）内の統括的な処理を行う中央制御手段（２１）により、その利用者携帯端末の電話番号や記入された氏名などから利用者ＩＤが紐付けされ、利用者ＩＤ毎に管理するための利用者別管理用データベース（Ｄ２）に記録される。そして、必要時には、この利用者別管理用データベース（Ｄ２）に基づき、利用者別一覧表示手段（２３）は、表示手段（２４）を利用し、任意の利用者が指定した化粧アイテムを、そのアイテムＩＤ毎に一覧表示する。また、本実施例では、各クライアント端末（３）が付帯する利用者ＩＤ認識手段（４）にて利用者を特定できるため、セキュリティー面を考慮して、当該利用者に限定した一覧表示をして、他の利用者の指定情報を閲覧不可としている。
【００２４】
利用者別管理用データベース（Ｄ２）は、図４の利用者別管理用データベースを構成する利用者管理テーブルの概念図に示すように、利用者管理テーブル（Ｔ２）により構成されている。この利用者管理テーブル（Ｔ２）は、具体的には、利用者を特定する利用者ＩＤを示す「利用者ＩＤ」フィールド（ｆ６）や、指定された化粧アイテムを特定するアイテムＩＤを示す「アイテムＩＤ」フィールド（ｆ７）、上記化粧アイテムテーブル（Ｔ２）と同じ内容の「種別」フィールド（ｆ８）、「名称」フィールド（ｆ９）、化粧アイテムを指定した日付を表す「指定日」フィールド（ｆ１０）、化粧アイテムの消費量を表す「消費量」フィールド（ｆ１１）、さらに、売り切り化粧アイテムにつき、その残量の割合を表す「残量」フィールド（ｆ１２）などからなる。
【００２５】
以下、図５に示す、利用者別一覧表示の表示画面の概略図に基づき、請求項１記載の（ウ）と（エ）の構成について、さらに詳述する。
【００２６】
図５は、利用者管理用サーバが付帯する表示手段における表示画面（Ｄｐ）であり、この表示画面（Ｄｐ）は、利用者別一覧表示手段により形成されるものである。この表示画面（Ｄｐ）には、利用者ＩＤ（ｄ１）の表示欄が設けられ、表示された利用者ＩＤに紐付けされた化粧アイテムのアイテムＩＤ（ｄ２）毎に、上記利用者別管理用データベースを構成する利用者管理テーブルの各フィールドに対応し、その種別（ｄ３）、名称（ｄ４）、指定日（ｄ５）、指定した化粧アイテムの消費に伴う消費量（ｄ６）や残量（ｄ７）などが一覧表示される。システムの主催者は、利用者が来店した際、その利用者ＩＤを確認すれば、その一覧表示を見ることで、当該利用者が指定した化粧アイテムを容易かつ効率的に提供できる。
【００２７】
なお、本発明では、利用者別一覧表示手段は利用者管理用サーバに加え、それぞれの個室内に設置された各クライアント端末にも設けており、各クライアント端末にて、各利用者は、自らの化粧アイテムの指定情報を閲覧可能となるため、その指定した化粧アイテムの内容を確認できると共に、化粧アイテムの変更や取り止めあるいは補充などに関しても好適に判断できる。
【００２８】
以上、詳述したように、本発明の利用者別化粧アイテム管理システムによれば、利用者管理用サーバが、各個室に設置されたクライアント端末とネットワーク接続されていると共に、所定のＷＷＷサーバと接続されているため、このＷＷＷサーバが提供する所定のモバイルサイトへアクセスした利用者携帯端末にて、何時何処からでも、その所望する化粧アイテムを容易かつ効率的に指定できると共に、この指定情報を一元管理すると共に、この管理情報に基づき、利用者の来店時、利用者毎に指定された化粧アイテムを効率良く提供でき、また、利用者が個室を利用する際に、その個室に設置されたクライアント端末にて当該指定情報を確認することができ、各利用者は、その指定した化粧アイテムの内容確認の他、化粧アイテムの変更や取り止めあるいは補充などに関しても好適に判断できるものである。
【図面の簡単な説明】
【００２９】
【図１】本発明の利用者別化粧アイテム管理システムのネットワーク構成図。
【図２】利用者管理用サーバの概略的ブロック構成図。
【図３】化粧アイテムデータベースを構成する化粧アイテムテーブルの概念図。
【図４】利用者別管理用データベースを構成する利用者管理テーブルの概念図。
【図５】利用者別一覧表示の表示画面の概略図。
【図６】利用者携帯端末におけるモバイルサイトの表示画面。
【符号の説明】
【００３０】
１  利用者別化粧アイテム管理システム
２  利用者管理用サーバ
３  クライアント端末
４  ＩＣカード読み取り／書き込み装置
５  個室
２３  利用者別一覧表示手段
２４  表示手段
Ｃ  通信回線
Ｌ  ＬＡＮ
Ｍ  利用者携帯端末
Ｓ  クライアント端末
Ｄ１  化粧アイテムデータベース
Ｄ２  利用者別管理用データベース
Ｔ１  化粧アイテムテーブル
Ｔ２  利用者管理テーブル
【図１】
2006048161.tif 000003
【図２】
2006048161.tif 000004
【図３】
2006048161.tif 000005
【図４】
2006048161.tif 000006
【図５】
2006048161.tif 000007
【図６】
2006048161.tif 000008